【事件の表示】
　特願２００８−１３３２４６「情報処理装置および方法、記録媒体、並びにプログラム」拒絶査定不服審判事件〔平成２０年　８月２８日出願公開、特開２００８−１９８２３３〕について、次のとおり審決する。
【結　論】
　本件審判の請求は、成り立たない。
【理　由】
第１　手続きの経緯
　本願は、平成１４年６月２８日（優先権主張平成１３年８月１日）を出願日とする特願２００２−１９０１４１号（以下、「原出願」という。）の一部を、平成２０年５月２１日に新たに特許出願したものであって、平成２２年１２月２８日付けで拒絶査定がなされ、それに対して平成２３年４月８日に拒絶査定不服の審判請求がなされるとともに手続補正書が提出されたものである。
　
第２　補正却下の決定
　平成２３年４月８日に提出された手続補正書による補正の却下の決定
　　
（１）［補正却下の決定の結論］
　平成２３年４月８日に提出された手続補正書による補正（以下、「本件補正」という。）を却下する。
　　
（２）［補正却下の決定の理由］
（ａ）補正の内容
　本件補正によると、その特許請求の範囲の請求項１は、
「所定の処理の対象となるデータを選択するためのデータ選択画面において、選択対象となる複数のデータの各々を示す選択画像を表示させるように表示手段を制御するとともに、前記データ選択画面において前記選択画像が選択された場合、選択された前記選択画像にマークを付加して表示させ、選択された前記選択画像が対応するデータの総データサイズを示す表示を前記データ選択画面に表示させるように前記表示手段を制御する表示制御手段を備え、
　前記表示制御手段は、前記データ選択画面において前記選択画像にアンカーが位置した場合、前記アンカーが位置した前記選択画像に対応するデータのデータサイズを示す表示を、前記総データサイズと同時に、前記総データサイズと同じ接頭辞を有する単位を示して表示させるように前記表示手段を制御する
　情報処理装置。」
と補正されている。　
　　
　上記補正は、本件補正前の請求項１に記載した発明を特定するために必要な事項である「前記アンカーが位置した前記選択画像に対応するデータのデータサイズを示す表示を前記総データサイズと同時に表示させるように前記表示手段を制御する」を「前記アンカーが位置した前記選択画像に対応するデータのデータサイズを示す表示を、前記総データサイズと同時に、前記総データサイズと同じ接頭辞を有する単位を示して表示させるように前記表示手段を制御する」とするものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　　
（ｂ）引用文献
（１）原査定の拒絶の理由に引用された特開平７−２２５７６８号公報（以下、「引用例１」という。）には、図面とともに、以下のような記載がある。
（ア）「【００１０】
【実施例】以下、図面を参照して、本発明の一実施例を説明する。図１は本発明の一実施例が適用された画像データベースシステムの構成を示す図で、画像データベース（ＤＢ）は、拡大表示制御手段として機能するパーソナルコンピュータ１０に内蔵されたハードディスク（ＨＤ）１２に構築される。該パーソナルコンピュータ１０には、入出力機器として、メモリカードドライブ１４，キーボード１６，画像選択手段として機能するマウス１８，イメージリーダ２０，ＣＤ−ＲＯＭドライブ２２，光磁気ディスク（ＭＯ）ドライブ２４，フロッピーディスク（ＦＤ）ドライブ２６，プリンタ２８，画像一覧表示手段として機能するＣＲＴ３０等が接続される。
【００１１】ここで、画像データは、メモリカードドライブ１４，イメージリーダ２０，ＣＤ−ＲＯＭドライブ２２，ＭＯドライブ２４，ＦＤドライブ２６等の画像入力機器により画像ファイルとして入力され、ハードディスク１２に蓄積される。なお、メモリカードドライブ１４は、メモリカード３２に記録されたディジタルカードカメラ３４で撮影された画像データを読み出してパーソナルコンピュータ１０に入力するものである。」（段落【００１０】、【００１１】）
　
（イ）「【００１３】以下、バックアップ等の目的で利用される画像ファイルの転送動作を例に、本発明の一時実施例を説明する。図２及び図３は、キーボード１６もしくはマウス１８により画像ファイルの転送が指示された時の、パーソナルコンピュータ１０の不図示ＣＰＵで実行される一連の動作フローチャートである。
【００１４】まず、ＣＲＴ３０に、図４の（Ａ）に示すような、転送する画像ファイルの送り側と受け側を選択するための転送設定画面を表示する（ステップＳ１）。そして、マウス１８操作により、転送する画像ファイルの送り側と受け側を、表示されているアイコン３６、即ちハードディスク，ＭＯ，メモリカード，フロッピーディスクの中からそれぞれ選択する（ステップＳ２）。
【００１５】このとき、アイコン３６をマウス１８の左ボタンでクリックすると、同図の（Ｂ）に示すように、黒枠で強調表示され、選択されたことを表すようになっている。なお、転送の送り側と受け側に同じものは選択できない。また、選択された送り側と受け側の種類によって、画像を送り側から受け側へ移動する場合と、コピーする場合とがある。即ち、送り側がハードディスク、受け側がＭＯのとき、画像ファイルはハードディスクからＭＯへ移動される。これ以外の場合は、画像ファイルは送り側から受け側へコピーされる。そして、転送する画像の送り側と受け側の両者を選択すると、画面の中心部分の矢印３８が灰色から黒色に変わり、画像選択画面に進むことができるということを表す。
【００１６】ここで、「ＯＫ」ボタン４０を押す、即ちマウスカーソルをそこに移動してマウス１８の左ボタンをクリックすることにより（ステップＳ３）、転送の設定がなされ、次の画像選択画面が表示される。なお、転送する画像の送り側と受け側のどちらかあるいは両方が選択されていない場合、又は送り側と受け側に同じものが選択された場合はＮＧとして（ステップＳ４）、「ＯＫ」ボタン４０を押しても画像選択画面には進めない。」（段落【００１３】〜【００１６】）
　　
（ウ）「【００１７】こうして、転送設定が終わると、図５に示すようにｍ×ｎ（本実施例では５×４）個の画像をマトリックス状に一覧表示してなる画像選択画面をＣＲＴ３０に表示する（ステップＳ５）。なお、この画面は、転送する画像の送り側にハードディスク、受け側にＭＯが選択された場合を示している。この画像選択画面では、転送する画像を選択し、「転送」ボタン４２を押すことによって画像ファイルの転送を行う。各画像の上には、画像データベースの中で画像を管理するＩＤナンバが、画像の下には、当該画像ファイルのファイル名が表示される。またこの画面の右上には、転送先の空き容量と選択された画像ファイルの合計が表示される。この例では、受け側の空き容量は９７．１Ｍバイトあり、現在選択されている画像ファイルの合計サイズは０．０Ｍバイトであることが表されている。そして、画面の右下には「転送」ボタン４２，「前」ボタン４４，「次」ボタン４６，「終了」ボタン４８の４つのボタンが表示される。
【００１８】このうち、「前」ボタン４４あるいは「次」ボタン４６を押すと（ステップＳ６）、それぞれ一つ前あるいは次の画像選択画面に移ることができるようになっている。ただしこの場合、選択された画像が有るときは（ステップＳ７）、その選択を解除して画面を移動しても良いかどうか問い合わせ表示を行い（ステップＳ８）、解除を望まない旨の指示をうけたときには、上記ステップＳ５に戻って現在の画像選択画面の表示を続ける。また、移動すべき前画面や次画面が無いときには（ステップＳ１０）、ビープ音を鳴らすだけとし（ステップＳ１１）、上記ステップＳ５に戻って現在の画像選択画面の表示を続ける。これに対して、移動すべき画面があるときには、当該前又は次画面を選択して（ステップＳ１２）、上記ステップＳ５にてその移動指示された画像選択画面の表示を行う。」（段落【００１７】、【００１８】）
　　　
（エ）「【００２０】一方、転送する画像を選択するときには、転送を望む画像の位置にマウスカーソル５０を移動させて、マウス１８の左ボタンでクリックする（ステップＳ１６）。このマウス１８の左ボタンのクリックにより選択された画像は、非選択画像と識別可能なように、例えば図７に示すように、赤枠で強調表示する（ステップＳ１８）。また、この画像の強調表示に伴って、画面の左上の転送画像量を更新する。なお、転送画像量が転送先空き容量を越えるときには（ステップＳ１７）、画像の選択はできないようにする。」（段落【００２０】）
　　
（オ）画像の一覧表示画面に於ける転送選択された画像の識別表示を示す図７には、画像の一覧表示画面の右上に「転送先容量：９７．１Ｍｂｙｔｅ（ｓ）　転送画像量：１．５Ｍｂｙｔｅ（ｓ）」と表示されることが示されている。
　　
　以上の記載によれば、この引用例１には以下のような発明（以下、「引用発明」という。）が開示されていると認められる。
「パーソナルコンピュータ１０に内蔵されたハードディスク１２に画像データベース（ＤＢ）が構築される画像データベースシステムにおいて、画像データは、メモリカードドライブ１４，イメージリーダ２０，ＣＤ−ＲＯＭドライブ２２，ＭＯドライブ２４，ＦＤドライブ２６等の画像入力機器により画像ファイルとして入力されてハードディスク１２に蓄積され、
　転送する画像の送り側にハードディスク、受け側にＭＯを選択した転送の設定が終了すると、ｍ×ｎ個の画像をマトリックス状に一覧表示してなる画像選択画面をＣＲＴ３０に表示し、
　この画像選択画面は、転送する画像を選択し、「転送」ボタン４２を押すことによって画像ファイルの転送を行うものであって、各画像の上には、画像データベースの中で画像を管理するＩＤナンバが、画像の下には、当該画像ファイルのファイル名が表示され、
　転送する画像を選択するときには、転送を望む画像の位置にマウスカーソル５０を移動させて、マウス１８の左ボタンでクリックし、このマウス１８の左ボタンのクリックにより選択された画像は、非選択画像と識別可能なように赤枠で強調表示し、
　画像選択画面の右上には、転送先の空き容量（例えば、「転送先容量：９７．１Ｍｂｙｔｅ（ｓ）」）と選択された画像ファイルの合計サイズ（例えば、「転送画像量：１．５Ｍｂｙｔｅ（ｓ）」）が表示され、前記画像の強調表示に伴って、画像選択画面の右上の転送画像量を更新し、転送画像量が転送先空き容量を越えるときには、画像の選択はできないようにした画像データベースシステム。」　
　　　
（２）原査定の拒絶の理由に引用された特開２０００−１８８７１０号公報（以下、「引用例２」という。）には、図面とともに、以下のような記載がある。
（ア）「【００９０】図７は、送信画像選択操作時のＵＩ画面の遷移を示す図である。図７（１）は、上述の送信プログラムであるＴｒａｎｓｆｅｒが起動され、初期画面が表示されている状態を示す。この状態で［Ｓｅｎｄ］ボタンを選択して［Ｓｅｔ］ボタンを押すと、図７（２）に示す送信に関するメニューを示す画面に変わる（ステップＳ１７）。このメニューの内、［Ｓｅｌｅｃｔ　Ｉｍａｇｅｓ］を選択して［Ｓｅｔ］ボタンを押すと、図７（３）に示すように、マルチ表示された画像を見ながら、送信する画像の選択および解除を行うことが可能となる。なお、ここで表示される画像は、縮小したサムネール画像である。また、本実施の形態では、選択された画像にはチェックマークが画像の左上部に表示され、図７（３）では上段の左の画像と、下段の中央の画像の左上部にチェックマークが表示されていることから、これらの画像がすでに選択済みであることが分かる。
【００９１】また、現在選択している画像の順番が画面の右上に表示され、画像の送信順序が容易に分かるようになっている。図７（３）では、「３」が表示されており、現在３枚目の送信画像を選択中であることが分かる。
【００９２】また、画面下方に表示されている細長い棒状の枠は、上記選択枠の画像が全体の画像の中でどの位置にあるかを示すポジションバーである。なお、このポジションバーは、全体の画像中、どの画像を現在見ているかを示す参考情報として、他の表示モードでも必要に応じて適宜使用される。
【００９３】このポジションバーの下に表示された「Ｎｏ．３」は、太線の選択枠で囲んだ画像（選択画像）のピクチャ番号（自動的に付けられる、画像毎に変わる固有番号であって、本実施の形態では５桁まで可能であるものとする）を示す。
【００９４】また、画面右下の「［Ｓｅｔ］　Ｕｎｍａｒｋ」はガイダンス表示である。ここでは、図７（３）では上段左のチェックマークが付された画像が選択枠で囲まれているため、「［Ｓｅｔ］　Ｕｎｍａｒｋ」と表示されているが、チェックマークが付されていない画像が選択枠で囲まれている場合には、「［Ｓｅｔ］　Ｍａｒｋ」に表示が変わる。具体的に説明すると、［＋］ボタンおよび［−］ボタンを使用して選択枠を移動し、その選択枠で囲まれた画像にチェックマークが付されていない場合、即ち未選択の画像である場合は「［Ｓｅｔ］　Ｍａｒｋ」が表示され、ここで［Ｓｅｔ］ボタンを指定すると、「Ｍａｒｋ」が指定されることとなり、選択枠で囲まれた画像は送信用マークファイル（Ｓｅｌｉｍａｇｅ．ｍｒｋ）に登録され、更に画像の左上部には新たにチェックマークが付される。また、選択済み、即ちチェックマークが付された画像が選択枠で囲まれているときには「［Ｓｅｔ］　Ｕｎｍａｒｋ」が表示されており、ここで［Ｓｅｔ］ボタンを指定すると、「Ｕｎｍａｒｋ」が指定されることになり、選択枠で囲まれた画像はマークファイル（Ｓｅｌｉｍａｇｅ．ｍｒｋ）から削除され、画像の左上部のチェックマークが消される。
【００９５】このようにして選択された画像の情報および選択された順番がマークファイル（Ｓｅｌｉｍａｇｅ．ｍｒｋ）に保持される。
【００９６】選択された画像数が１００を越えると、画像選択を禁止し、画面中の「［Ｓｅｔ］　Ｍａｒｋ／Ｕｎｍａｒｋ」は灰色表示または低コントラスト表示とする。また、選択された画像数が１００を越えない場合でも、選択画像の情報および順番がマークファイル（Ｓｅｌｉｍａｇｅ．ｍｒｋ）の容量一杯になったときは、同様に画像選択を禁止し、画面中の「［Ｓｅｔ］　Ｍａｒｋ／Ｕｎｍａｒｋ」は灰色表示または低コントラスト表示とする。この場合、容量不足を示すメッセージまたはアイコンをガイダンスの欄に表示するようにしても良い。」（段落【００９０】〜【００９６】）　　
　　　　
（イ）「【０１０４】送信画像の選択が終了すると、送信を行うことができる。送信先は、図６のステップＳ２１のアドレス設定処理により登録されているものが図７（５）に示すように表示されるので、その中から選択することができる。勿論、送信時に送信先のアドレスや電話番号を入力するように構成しても良い。送信中は、（６）に示すように送信状態を表示する。この画面では、［Ｃａｎｃｅｌ］ボタンが表示され、このボタンを指定することにより、送信を中断することができる。」（段落【０１０４】）
　　　
（ウ）画像送信時のＵＩ画面の遷移を示す図７の（６）には、画像の送信中のＵＩ画面左下に「１／５　Ｉｍａｇｅｓ　１２０／６４０ｋｂ」と表示され、（７）には、画像の送信終了のＵＩ画面左下に「５／５　Ｉｍａｇｅｓ　６４０／６４０ｋｂ」と表示されることが示されている。
　
（３）原査定の拒絶の理由に引用された“はじめに読む本２　かるがるパソコン入門　初版，日本，富士通株式会社，１９９９年　７月３１日，第１版，５２ページ”（以下、「引用例３」という。）には、一番上の段に
「・ファイルの作成日やサイズを知りたい！
　＜方法１＞ファイルをポイントする」と記載され、左の図には、マイドキュメント画面において、表示されているファイルのアイコンにマウスポインタを合わせる（ポイント）と、そのファイルのファイル名，更新日時，サイズである「２ｂｍｐビットマップイメージ　更新日時９９／０４／２６　１５：５０　サイズ：３５２ＫＢ」が表示されることが示されている。　　　
　　
（ｃ）対　比
  本願補正発明と引用発明とを対比する。
（１）引用発明の転送される「画像ファイル」は、本願補正発明の「所定の処理の対象となるデータ」に相当する。
（２）引用発明のマトリックス状に一覧表示される「ｍ×ｎ個の画像」は、本願補正発明の「選択対象となる複数のデータの各々を示す選択画像」に相当し、引用発明の「画像選択画面」は、本願補正発明の「データ選択画面」に相当する。
（３）引用発明の「転送する画像を選択するときには、転送を望む画像の位置にマウスカーソル５０を移動させて、マウス１８の左ボタンでクリックし、このマウス１８の左ボタンのクリックにより選択された画像は、非選択画像と識別可能なように赤枠で強調表示し」は、本願補正発明の「前記データ選択画面において前記選択画像が選択された場合、選択された前記選択画像にマークを付加して表示させ」と前記データ選択画面において前記選択画像が選択された場合、選択された前記選択画像を非選択画像と識別可能なように表示させる点で共通する。
（４）引用発明の「選択された画像ファイルの合計サイズ（例えば、「転送画像量：１．５Ｍｂｙｔｅ（ｓ）」」は、本願補正発明の「選択された前記選択画像が対応するデータの総データサイズ」に相当する。
（５）引用発明の「選択された画像ファイルの合計サイズ（例えば、「転送画像量：１．５Ｍｂｙｔｅ（ｓ）」）が表示され、前記画像の強調表示に伴って、画像選択画面の右上の転送画像量を更新し」は、本願補正発明の「選択された前記選択画像が対応するデータの総データサイズを示す表示を前記データ選択画面に表示させる」に相当するといえる。
（６）引用発明の「ＣＲＴ３０」は、本願補正発明の「表示手段」に相当し、引用発明の「画像選択画面」における表示は、表示制御手段により制御されていることは明らかであるから、引用発明は本願補正発明の「表示制御手段」を備えているといえる。
（７）引用発明の「画像データベースシステム」は、本願補正発明の「情報処理装置」に相当する。
　　　
　そうすると、本願補正発明の用語を用いると両者は、
「所定の処理の対象となるデータを選択するためのデータ選択画面において、選択対象となる複数のデータの各々を示す選択画像を表示させるように表示手段を制御するとともに、前記データ選択画面において前記選択画像が選択された場合、選択された前記選択画像を非選択画像と識別可能なように表示させ、選択された前記選択画像が対応するデータの総データサイズを示す表示を前記データ選択画面に表示させるように前記表示手段を制御する表示制御手段を備える
　情報処理装置。」
で一致するものであり、次の（１）、（２）の点で相違している。
　　
（１）本願補正発明は、「選択された前記選択画像にマークを付加して表示」させるのに対し、引用発明は、選択された画像は、非選択画像と識別可能なように赤枠で強調表示する点。
　
（２）本願補正発明は、「前記表示制御手段は、前記データ選択画面において前記選択画像にアンカーが位置した場合、前記アンカーが位置した前記選択画像に対応するデータのデータサイズを示す表示を、前記総データサイズと同時に、前記総データサイズと同じ接頭辞を有する単位を示して表示させる」のに対し、引用発明は、選択画像に対応するデータのデータサイズを示す表示について記載されていない点。
　　　
（ｄ）当審の判断
・相違点（１）について
　上記引用例２には、「図７（３）に示すように、マルチ表示された画像を見ながら、送信する画像の選択および解除を行うことが可能となる。なお、ここで表示される画像は、縮小したサムネール画像である。また、本実施の形態では、選択された画像にはチェックマークが画像の左上部に表示され、図７（３）では上段の左の画像と、下段の中央の画像の左上部にチェックマークが表示されていることから、これらの画像がすでに選択済みであることが分かる。」（記載事項（ア）段落【００９０】）と記載されている。
　したがって、上記引用例２記載の技術を適用すれば、引用発明において、選択された前記選択画像にマークを付加して表示させるようにすることは、当業者が容易になし得ることである。
　　　
・相違点（２）について　
　本願補正発明の「前記データ選択画面において前記選択画像にアンカーが位置した場合」は、ユーザの操作により「アンカー」を選択指定する対象の選択画像に位置させることであり、引用発明の「マウスポインタ５０」を本願補正発明のように「アンカー」とすることは当業者が必要に応じて適宜なし得ることである。
　そして、上記引用例３に記載されているように、表示されているアイコンにマウスポインタを合わせる（ポイント）と、そのアイコンに対応するファイルのファイル名，更新日時，サイズの表示がなされるようにすることは、原出願の優先権主張の日前に広く知られている技術である。
　そうすると、引用発明の「画像」は画像ファイルに対応する「アイコン」に相当し、引用発明の「マウスカーソル５０」は「マウスポインタ」であるから、引用発明に上記引用例３記載の技術を適用することは当業者が容易に想到し得ることであって、引用発明において、表示制御手段は、データ選択画面において選択画像にアンカーが位置した場合、前記アンカーが位置した前記選択画像に対応するデータのデータサイズを示す表示を、前記総データサイズと同時に表示させるようにすることは当業者が容易になし得ることである。
　また、アンカーが位置した選択画像に対応するデータのデータサイズを示す表示は、その選択画像を選択した場合に総データサイズに加算されるデータサイズであって、比較の対象となる表示であることは明らかであり、比較の対象となる２つのデータサイズを表示する際に、ユーザが理解しやすいように、同じ接頭辞を有する単位を示して表示させることは、通常行われていること（例えば、引用例２の画像の送信中のＵＩ画面左下に「１／５　Ｉｍａｇｅｓ　１２０／６４０ｋｂ」と表示されている。）にすぎず、選択画像に対応するデータのデータサイズを示す表示を、前記総データサイズと同時に、前記総データサイズと同じ接頭辞を有する単位を示して表示させるようなことは、当業者が必要に応じて適宜なし得る設計事項にすぎない。
　　
　本願補正発明により奏される効果は、引用発明、引用例２、３に記載された技術から、当業者が予想し得る範囲内のものと認められる。
　
（ｅ）結論
　そうすると、本願補正発明は、引用発明、引用例２、３に記載された技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、平成２２年１２月７日に提出された手続補正書における特許請求の範囲の請求項１に記載された事項により特定される、以下のとおりのものである。
「所定の処理の対象となるデータを選択するためのデータ選択画面において、選択対象となる複数のデータの各々を示す選択画像を表示させるように表示手段を制御するとともに、前記データ選択画面において前記選択画像が選択された場合、選択された前記選択画像にマークを付加して表示させ、選択された前記選択画像が対応するデータの総データサイズを示す表示を前記データ選択画面に表示させるように前記表示手段を制御する表示制御手段を備え、
　前記表示制御手段は、前記データ選択画面において前記選択画像にアンカーが位置した場合、前記アンカーが位置した前記選択画像に対応するデータのデータサイズを示す表示を、前記総データサイズと同時に表示させるように前記表示手段を制御する
　情報処理装置。」
　
第４　引用例
　原査定の拒絶理由に引用された引用例及びその記載事項は、前記「第２　（２）（ｂ）」に記載したとおりである。
　
第５　対比・判断
　本願発明は、前記「第２」で検討した本願補正発明の「前記アンカーが位置した前記選択画像に対応するデータのデータサイズを示す表示を、前記総データサイズと同時に、前記総データサイズと同じ接頭辞を有する単位を示して表示させるように前記表示手段を制御する」を、「前記アンカーが位置した前記選択画像に対応するデータのデータサイズを示す表示を前記総データサイズと同時に表示させるように前記表示手段を制御する」とするものである。
　そうすると、本願発明の構成要件を全て含み、さらに限定したものに相当する本願補正発明が前記「第２」に記載したとおり、引用発明、引用例２、３に記載された技術に基づいて、当業者が容易に発明をすることができたものであるから、本願発明も同様の理由により、引用発明、引用例２、３に記載された技術に基づいて、当業者が容易に発明をすることができたものである。
　　
第６　むすび
　以上のとおり、本願発明は、引用発明、引用例２、３に記載された技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。